【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
データフレームを生成することと、
前記データフレームをワイヤレスでブロードキャストすることと
を含む方法であって、
前記データフレームを生成することは、
直交周波数分割多重（ＯＦＤＭ）シンボルの第１の組を生成することと、
ＯＦＤＭシンボルの第２の組を生成することと
を含み、
前記ＯＦＤＭシンボルの第１の組および前記ＯＦＤＭシンボルの第２の組の各ＯＦＤＭシンボルは、有益な部分およびサイクリックプレフィックスを含み、
前記各ＯＦＤＭシンボルを生成することは、
前記有益な部分を形成する変換サイズを有する逆高速フーリエ変換を用いて、周波数領域データのブロックを時間領域サンプルに変換することと、
前記ＯＦＤＭシンボルの前記有益な部分の終了部分からの複数の時間領域サンプルを前記各ＯＦＤＭシンボルの先頭に付加することによって、前記サイクリックプレフィックスを形成することと
を含み、
前記データフレームを生成することは、
第１の変換サイズおよび第１のサイクリックプレフィックスサイズを用いて前記ＯＦＤＭシンボルの第１の組を形成することと、
第２の変換サイズおよび第２のサイクリックプレフィックスサイズを用いて前記ＯＦＤＭシンボルの第２の組を形成することと
をさらに含み、
前記データフレームは、前記第１のサイクリックプレフィックスサイズ、前記第２のサイクリックプレフィックスサイズ、前記第１の変換サイズ、および前記第２の変換サイズを別々に示す複数のパラメータを含む、方法。
【請求項２】
前記第１のサイクリックプレフィックスサイズは前記第２のサイクリックプレフィックスサイズと異なる、請求項１に記載の方法。
【請求項３】
前記第１の変換サイズは前記第２の変換サイズと異なる、請求項２に記載の方法。
【請求項４】
前記第１の変換サイズは前記第２の変換サイズと異なる、請求項１に記載の方法。
【請求項５】
前記周波数領域データは有益なサブキャリアの組および有益でないサブキャリアの組を含み、
前記データフレームは、前記ＯＦＤＭシンボルの第１の組における有益なサブキャリアの数および前記ＯＦＤＭシンボルの第２の組における有益なサブキャリアの数を別々に示す第２の複数のパラメータをさらに含む、請求項１に記載の方法。
【請求項６】
変動レートブロードキャスト信号を送信するためのコンピュータプログラム製品であって、実行されたときに少なくとも１つのプロセッサに、
データフレームのペイロード領域を構築し、前記ペイロード領域のサンプルは、指定されたサンプル速度に対応し、前記指定されたサンプル速度は、複数のサンプル速度から選択され、
前記ペイロード領域の前記サンプルを１つまたは複数の区画へと分割し、前記区画の各々は、ＯＦＤＭシンボルの対応する組を含み、
前記データフレームを含むトランスポートストリームにシグナリング情報を埋め込み、前記シグナリング情報は、前記指定されたサンプル速度を示すデータを含み、
前記指定されたサンプル速度に少なくとも部分的に基づいて前記トランスポートストリームを送信する
ようにさせるコンピュータ実行可能命令が記憶された１つまたは複数の非一時的コンピュータ可読記憶デバイスを含む、コンピュータプログラム製品。
【請求項７】
前記コンピュータ実行可能命令は、実行された時にさらに、前記少なくとも１つのプロセッサに、ブロードキャストネットワークのオペレータからの前記指定されたサンプル速度を示すデータを受信させる、請求項６に記載のコンピュータプログラム製品。
【請求項８】
前記コンピュータ実行可能命令は、実行された時にさらに、前記少なくとも１つのプロセッサに、前記フレームの非ペイロード領域に前記シグナリング情報を埋め込ませる、請求項６に記載のコンピュータプログラム製品。
【請求項９】
前記１つまたは複数の区画の各区画は、前記１つまたは複数の区画に関連付けられたＯＦＤＭシンボルに対するＦＦＴサイズの対応する値を有する、請求項６に記載のコンピュータプログラム製品。
【請求項１０】
前記コンピュータ実行可能命令は、実行された時にさらに、前記少なくとも１つのプロセッサに、各区画に対して、前記区画に対する指定された最小のサブキャリア間隔を満たす前記区画に対するサブキャリア間隔を定義するために、前記区画および前記指定されたサンプリングレートに対する前記ＦＦＴサイズを選択させる、請求項９に記載のコンピュータプログラム製品。
【請求項１１】
前記１つまたは複数の区画の各区画は、前記１つまたは複数の区画に関連付けられたＯＦＤＭシンボルに対するサイクリックプレフィックスサイズの対応する値を有する、請求項６に記載のコンピュータプログラム製品。
【請求項１２】
前記１つまたは複数の区画のある区画に対応する前記サイクリックプレフィックスサイズは、１９２、３８４、５１２、７６８、１０２４、１５３６、２０４８、３０７２、および４０９６サンプルからなる群から選択される、請求項１１に記載のコンピュータプログラム製品。
【請求項１３】
データフレームを生成するように構成されたプロセッサと、
前記データフレームをワイヤレスでブロードキャストするように構成された送信器と
を含む装置であって、
前記データフレームは、直交周波数分割多重（ＯＦＤＭ）シンボルの第１の組およびＯＦＤＭシンボルの第２の組を含み、前記ＯＦＤＭシンボルの第１の組および前記ＯＦＤＭシンボルの第２の組の各ＯＦＤＭシンボルは、有益な部分およびサイクリックプレフィックスを含み、
前記各ＯＦＤＭシンボルを生成するために、前記プロセッサは、
前記有益な部分を形成する変換サイズを有する逆高速フーリエ変換を用いて、周波数領域データのブロックを時間領域サンプルに変換し、
前記有益な部分の終了部分からの複数の時間領域サンプルを前記各ＯＦＤＭシンボルの先頭に付加することによって前記サイクリックプレフィックスを形成する
ようにさらに構成され、
前記プロセッサは、第１の変換サイズおよび第１のサイクリックプレフィックスサイズを用いて前記ＯＦＤＭシンボルの第１の組を形成し、第２の変換サイズおよび第２のサイクリックプレフィックスサイズを用いて前記ＯＦＤＭシンボルの第２の組を形成するようにさらに構成され、
前記データフレームは、前記第１のサイクリックプレフィックスサイズ、前記第２のサイクリックプレフィックスサイズ、前記第１の変換サイズ、および前記第２の変換サイズを別々に示す複数のパラメータをさらに含む、装置。
【請求項１４】
前記第１のサイクリックプレフィックスサイズは前記第２のサイクリックプレフィックスサイズと異なる、請求項１３に記載の装置。
【請求項１５】
前記第１の変換サイズは前記第２の変換サイズと異なる、請求項１４に記載の装置。
【請求項１６】
前記第１の変換サイズは前記第２の変換サイズと異なる、請求項１３に記載の装置。
【請求項１７】
前記第１の変換サイズおよび前記第２の変換サイズはそれぞれ、８１９２、１６３８４、および３２７６８からなる群から選択される、請求項１３に記載の装置。
【請求項１８】
前記第１のサイクリックプレフィックスサイズおよび前記第２のサイクリックプレフィックスサイズはそれぞれ、１９２、３８４、５１２、７６８、１０２４、１５３６、２０４８、３０７２、および４０９６サンプルからなる群から選択される、請求項１３に記載の装置。
【請求項１９】
前記周波数領域データは有益なサブキャリアの組および有益でないサブキャリアの組を含む、請求項１３に記載の装置。
【請求項２０】
前記データフレームは、前記ＯＦＤＭシンボルの第１の組における有益なサブキャリアの数および前記ＯＦＤＭシンボルの第２の組における有益なサブキャリアの数を別々に示す第２の複数のパラメータをさらに含む、請求項１９に記載の装置。